(57)【要約】【課題】  遊技球が通行する誘導通路に応じて特定入賞口に入賞する確率を異ならせ得るようにする。【解決手段】  パチンコ機やアレンジボール機等の遊技機に関し、可動体に相当する回転体４４は、通常入賞口と特別入賞口とこれらの相互間でパチンコ球（遊技球）の通行を困難に形成した隔離部材とを備えた。第１誘導通路に相当する誘導通路４８は、通常入賞口および特定入賞口のいずれか一つに入賞し得る通行部位にパチンコ球を誘導した。第２誘導通路に相当する誘導通路２２は、通行部位に誘導する場合よりも特定入賞口に入賞し易くなる共通領域にパチンコ球を誘導した。誘導通路４８を誘導されたパチンコ球は、単に通常入賞口および特別入賞口のいずれか一つに入賞するに過ぎない。これに対して誘導通路２２を誘導されたパチンコ球は特別入賞口に入賞し易くなり、特別入賞口４４ｆへの入賞確率が高まる。【選択図】        図２
2009285507.tif 000002
【特許請求の範囲】
【請求項１】
一般入賞口のみを有する一般領域と特定入賞口を有する特定領域とを入賞装置に備え、前記特定入賞口に遊技球が入賞したことを契機として
遊技者に有利な遊技状態を実現する構成とした遊技機であって、
前記一般領域と、前記特定領域と、前記一般領域と前記特定領域との相互間で遊技球の通行を困難に形成した特定部位とを有する可動体と、
前記一般入賞口および前記特定入賞口のいずれか一方に入賞し得る第１位置に遊技球を誘導する第１誘導通路と、
前記第１位置に誘導する場合よりも前記特定入賞口に入賞し易くなる第２位置に遊技球を誘導する第２誘導通路とを有する遊技機。
【請求項２】
請求項１に記載した遊技機であって、
一般領域の数と特定領域の数とを異ならせ、
前記一般領域と前記特定領域とを二以上のグループに分け、
一のグループと他のグループとに属する領域の相互間で遊技球の通行を困難に形成した特定部位を備えた可動体を有する遊技機。
【請求項３】
請求項１または２に記載した遊技機であって、
入賞装置には、遊技球を第１誘導通路または第２誘導通路に振り分ける振分部材を有する遊技機。
【発明の詳細な説明】
【技術分野】
【０００１】
本発明は、一般領域と特定領域とを備えた入賞装置を有する遊技機に関する。
【背景技術】
【０００２】
遊技機の一つであるパチンコ機の中には、入賞装置に一般入賞口と特定入賞口とを備えた回転体を有するものが知られている（例えば特許文献１を参照）。この技術によれば、入賞装置に入ったパチンコ球が回転体の特定入賞口に入賞すると、遊技者に有利な遊技状態（本例では特別入賞状態）を実現する。
【先行技術文献】
【特許文献】
【０００３】
【特許文献１】特開平７−１１２０６０号公報
【発明の概要】
【発明が解決しようとする課題】
【０００４】
しかし、入賞装置に入ったパチンコ球が回転体の特定入賞口に入賞する確率は、当該回転体に備えた一般入賞口の数と特定入賞口の数とで決まってしまう。しかも、当該入賞確率は遊技中で一定である。遊技者はパチンコ球を特定入賞口に入賞させようという期待感を持って遊技するものの、入賞装置に入ったパチンコ球が通行する通路を特に意識することはなかった。
本発明はこのような点に鑑みてなしたものであり、遊技球（本例ではパチンコ球）が通行する通路に応じて特定入賞口に入賞する確率を異ならせる構成とした遊技機を提供することを目的とする。
【課題を解決するための手段】
【０００５】
課題を解決するための手段１は、請求項１に記載した通りである。
ここで、請求項１に記載した用語については以下のように解釈する。当該解釈は他の請求項および発明の詳細な説明についても同様である。
（１）「特定部位」は遊技球の通行が困難に形成してあればよく、例えば壁，溝，段差等が該当する。なお「遊技球の通行が困難」とは遊技球の通行が不可能という意味ではなく、例えば飛び跳ねる場合には通行が可能であってもよい。
（２）「可動体」は、例えば回転体，スライド体，揺動体などが該当する。
【０００６】
当該手段１によれば、一般入賞口のみを有する一般領域と特定入賞口を有する特定領域とを入賞装置に備え、特定入賞口に遊技球が入賞したことを契機として遊技者に有利な遊技状態を実現する。さらに、一般領域と特定領域とこれらの相互間で遊技球の通行を困難に形成した特定部位とを有する可動体と、一般入賞口および特定入賞口のいずれか一方に入賞し得る第１位置に遊技球を誘導する第１誘導通路と、第１位置に誘導する場合よりも特定入賞口に入賞し易くなる第２位置に遊技球を誘導する第２誘導通路とを備える。
【０００７】
一般領域は一般入賞口のみを有するが、特定領域は特定入賞口の他に一般入賞口を有する場合もある。第１誘導通路を誘導された遊技球は、単に第１位置を通じて一般入賞口および特定入賞口のいずれか一方に入賞するに過ぎない。これに対して第２誘導通路を誘導された遊技球は、第２位置を通じて特定入賞口に入賞し易くなる。すなわち特定入賞口への入賞確率が高まる。よって遊技球が第１誘導通路および第２誘導通路の何れを通行するかで特定入賞口に入賞する確率が異なる。したがって、遊技者は入賞装置に入った遊技球が通行する誘導通路を意識し、遊技球が第２誘導通路を通行する期待感を持って遊技するようになる。
【０００８】
課題を解決するための手段２は、請求項２に記載した通りである。
当該手段２によれば、可動体に備える一般領域の数と特定領域の数とを異ならせ、一般領域と特定領域とを二以上（すなわち複数）のグループに分け、一のグループと他のグループとに属する領域の相互間で遊技球の通行を困難に形成した特定部位を備えた可動体を備える。例えば第１位置は一のグループに通ずる位置とし、第２位置は他のグループに通ずる位置とする。一般領域と特定領域とをどのようにグループ分けするか、あるいは第１位置および第２位置をどこに設定するかによって遊技球が特定入賞口に入賞する確率が異なる。よって遊技球が第１誘導通路および第２誘導通路の何れを通行するかで特定入賞口に入賞する確率が異なる。したがって、遊技者は入賞装置に入った遊技球が通行する誘導通路を意識し、遊技球が第２誘導通路を通行する期待感を持って遊技するようになる。
【０００９】
課題を解決するための手段３は、請求項３に記載した通りである。
当該手段３によれば、入賞装置には遊技球を第１誘導通路または第２誘導通路に振り分ける振分部材（例えば羽根等を含む）を備える。振分部材の作動，位置（姿勢）等によって、遊技球はいずれかの誘導通路に振り分けられる。遊技者は遊技球が第２誘導通路に振り分けられるタイミングを狙って遊技するようになり、有利な遊技状態の実現を望む遊技者の期待感を向上させることができる。
【発明の効果】
【００１０】
本発明によれば、遊技球が通行する誘導通路に応じて、特定入賞口に入賞する確率を異ならせることができる。
【図面の簡単な説明】
【００１１】
【図１】遊技盤の外観を示す正面図である。
【図２】役物装置を拡大して表す正面図である。
【図３】可動部材の構成例を示す図である。
【図４】パチンコ球の振る舞いの一例を説明する図である。
【図５】誘導通路の構成例を示す図である。
【図６】パチンコ球の入賞形態の一例を示す図である。
【図７】回転体および外周壁の構成例を示す図である。
【図８】通常領域および特別領域を説明する図である。
【図９】左大入賞口から入賞したパチンコ球の経路例を示す図である。
【図１０】右大入賞口から入賞したパチンコ球の経路例を示す図である。
【図１１】回転体および段差部の構成例を示す図である。
【図１２】通常領域および特別領域を説明する図である。
【発明を実施するための形態】
【００１２】
以下、本発明における実施の形態を図面に基づいて説明する。本実施の形態は遊技機の一つであるパチンコ機に本発明を適用した例であって、図１〜図１０を参照しながら説明する。
【００１３】
まず図１には、パチンコ機に備える遊技盤１０の外観を正面図で示す。当該遊技盤１０は、後述するように可動部材１４や可動翼片１８，５２等を有する役物装置１２、パチンコ球（遊技球，遊技媒体に相当する）がそれぞれ入賞可能な始動口２８，３６，３８、その他にゲートや一般の入賞口，風車，障害釘等を適宜に配置する。なお入賞口や障害釘等の一部は図示を省略している。
始動口２８，３６，３８は、役物装置１２の下方に配置する。このうち始動口３６はパチンコ球の入賞を検出するために始動口センサ３２を備え、同様にして始動口２８，３８は始動口センサ３０，３４をそれぞれ備える。
【００１４】
図２は、図１に示す役物装置１２を拡大して表す正面図である。役物装置１２は、大入賞口５４（左大入賞口）を開閉する可動翼片５２や、動物（あるいはキャラクタ）を模して形成した可動部材１４、大入賞口１６（右大入賞口）を開閉する可動翼片１８、大入賞口１６，５４から入ったパチンコ球がそれぞれ通行可能な誘導通路４８，２２、演出が可能な液晶表示器４６、通常入賞口と特別入賞口とを備えた回転体４４、当該回転体４４の周囲を囲む外周壁４０、図面左側の誘導通路４８を通行したパチンコ球が通行可能な扇状通路４２、当該扇状通路４２を通行したパチンコ球が入り得る入賞口５６、竹箒（竹箒部２６）を持った人物を模した可動部材２４などを有する。入賞口５６に入ったパチンコ球は、回転体４４に備えた通常入賞口と同様に入賞したものと扱われる。
なお、役物装置１２は入賞装置に相当し、可動部材１４は振分部材に相当し、通常入賞口は一般入賞口に相当し、特別入賞口は特定入賞口に相当し、回転体４４は可動体に相当し、誘導通路４８は第１誘導通路に相当し、誘導通路２２は第２誘導通路に相当する。
【００１５】
可動部材１４、可動翼片１８，５２、回転体４４および可動部材２４は、各々が駆動体（例えばモータやソレノイド等）を制御して所要の動きが可能に構成する。すなわち可動部材１４は、所定方向（本例では矢印Ｄ４方向）に沿って姿勢をほぼ周期的に変更可能に構成する。同様に、可動翼片５２，１８は所定方向（本例では矢印Ｄ２，Ｄ６方向）に沿って姿勢を変更可能に構成する。回転体４４は、回転（正回転，逆回転，正逆回転等）を可能に構成する。可動部材２４は、所定方向（本例では矢印Ｄ８方向）に沿って姿勢を変更可能に構成する。
【００１６】
次に、可動部材１４の構成例について図３を参照しながら説明する。図３（Ａ）には可動部材１４の一部を平面図で示し、当該図３（Ａ）の右側から見た右側面図を図３（Ｂ）に示す。図３（Ａ）において、可動部材１４は動物を模して形成した板状の本体１４ａと、当該本体１４ａの尻尾部１４ｂに設けた転動板１４ｃなどを有する。この転動板１４ｃはパチンコ球が転がるものの、図３（Ｂ）に示すように役物装置１２の壁面１２ａ（例えば電飾部材等）までの奥行き方向の長さはない。パチンコ球の転がり方によっては壁面１２ａ側に向かってしまい、当該パチンコ球が転動板１４ｃから落下することもあり得る。
【００１７】
次に、パチンコ球の振る舞いの一例について図４を参照しながら説明する。図４は、図２に示す役物装置１２の一部を拡大して表す斜視図である。図４において、誘導通路４８，２２はそれぞれパチンコ球の通行が視認可能な形態（例えば透明，半透明の部材や網状の部材等）で形成する。これらの誘導通路４８，２２は役物装置１２の中央部にそれぞれ入口６２，６６を設け、仕切板６４によって両入口を区分している。可動部材１４の尻尾部１４ｂに備えた転動板１４ｃは、入口６２（又は入口６６）とほぼ同じ横幅で形成する。小片６０には入賞センサ２０を備え、小片５８には入賞センサ５０を備える（図１，図２を参照）。孔６０ａ，５８ａと入賞センサ２０，５０が有する孔とをほぼ同一に形成し、孔６０ａ，５８ａをパチンコ球が通過すると入賞を検出する。
【００１８】
上述した構成において、可動部材１４の尻尾部１４ｂを小片６０の近傍に姿勢させたとき、パチンコ球Ｂは例えば次のように振る舞う。すなわち可動翼片１８が開いているときに大入賞口１６から入ったパチンコ球Ｂは、小片６０に備えた孔６０ａから落下する。当該孔６０ａから落下したパチンコ球Ｂは、尻尾部１４ｂの転動板１４ｃを転がる。こうして転動板１４ｃを転がるパチンコ球Ｂは落下等に伴う運動エネルギーを有するので慣性力が働く。よって当該パチンコ球Ｂは上部通路６８に落下した後に入口６２に入るか、あるいは入口６２に直接入る確率が高い。ただし、パチンコ球Ｂの落下や転がり方（例えば飛び跳ねるような形態など）によっては入口６６に入ることもある。これに対して可動翼片５２が開いているときに大入賞口５４から入ったパチンコ球Ｂは、小片５８に備えた孔５８ａから上部通路６８に落下するので、入口６２に入る確率が非常に高い。
【００１９】
一方、可動部材１４の尻尾部１４ｂを小片５８の近傍に姿勢させたときには、例えばパチンコ球Ｂの振る舞いは上述した例とは逆の形態になる。すなわち大入賞口５４から入ったパチンコ球Ｂは小片５８に備えた孔５８ａから落下し、転動板１４ｃを転がる。そして、上部通路６８に落下した後に入口６６に入るか、あるいは入口６６に直接入る確率が高い。ただし、パチンコ球Ｂの落下や転がり方によっては入口６２に入ることもある。これに対して大入賞口５４から入ったパチンコ球Ｂは、小片６０に備えた孔６０ａから上部通路６８に落下するので、入口６６に入る確率が非常に高い。
【００２０】
図５には、誘導通路４８，２２の構成例を示す。誘導通路４８の出口７０は扇状通路４２に連絡し、当該出口７０から出たパチンコ球Ｂは誘導通路４８内を移動したり落下するに伴って得た運動エネルギーによって扇状通路４２上を所定方向（例えば矢印Ｄ１０方向）に沿って移動する。一方、誘導通路２２の出口７２は回転体４４の上方に位置し（図１，図２を参照）、当該出口７２から出たパチンコ球Ｂは回転体４４のほぼ中央部に向けて（例えば矢印Ｄ１２方向に）落下する。なお、図７（Ａ）には回転体４４に対する出口７２の位置を破線で示す。
【００２１】
扇状通路４２上を移動するパチンコ球Ｂの入賞形態について、図６を参照しながら説明する。まず図６（Ａ）には可動部材２４がほぼ直立しており、竹箒部２６が入賞口５６を塞いだ状態を示す。この状態では、慣性力で移動するパチンコ球Ｂは竹箒部２６が入賞口５６に入るのを阻害する。そのため、パチンコ球Ｂは外周壁４０の一部を切り欠いた通行部位４０ａを抜け、当該回転体４４に備えた入賞口に入る確率が高い。当該入賞口の形態例については後述する（図７を参照）。通行部位４０ａは第１位置に相当する。
これに対して図６（Ｂ）には可動部材２４がやや傾斜しており、竹箒部２６が入賞口５６を塞いでいない状態を示す。パチンコ球Ｂは慣性力で扇状通路４２上を移動するので、通行部位４０ａを通過して入賞口５６に入る確率が高い。
【００２２】
ここで回転体４４の構成例について、図７を参照しながら説明する。図７（Ａ）には回転体４４を上から見た平面図を示し、図７（Ｂ）には回転体４４を横から見た側面図を示し、図７（Ｃ）には回転体４４を斜め上方から見た斜視図を示す。所定方向（例えば矢印Ｄ１４方向）に回転可能に構成した回転体４４は、中央部を凸にした丘陵状に形成し、ほぼコ字状であって径方向に開口する隔離部材４４ｂ，４４ｄ，４４ｈを表面上に沿って備える。当該隔離部材４４ｂ，４４ｄ，４４ｈは突起状の壁面で形成したので、パチンコ球の通行が困難になる。また回転体４４には、通常入賞口４４ａ，４４ｃ，４４ｅ，４４ｇ，４４ｉと特別入賞口４４ｆとを周縁部に沿ってほぼ等間隔で備える。通常入賞口に入賞したパチンコ球を検出する入賞センサと、特別入賞口に入賞したパチンコ球を検出する入賞センサとを別個に備える点は周知の通りである。また特別入賞口４４ｆに入賞したパチンコ球を入賞センサが検出すると、例えば大当たり遊技のラウンドを継続したり、可動翼片１８，５２の開閉や開放時間を長くしたり、賞球として払い出すパチンコ球の個数を多くするなどを実現する。
【００２３】
回転体４４の外周には、当該回転体４４を取り囲むように外周壁４０を備える。この外周壁４０によって、通行部位４０ａを除けば、回転体４４の外周からパチンコ球が通常入賞口４４ａ，４４ｃ，４４ｅ，４４ｇ，４４ｉや特別入賞口４４ｆに入賞するのは困難になる。なお、隔離部材４４ｂ，４４ｄ，４４ｈは特定部位に相当し、通常入賞口４４ａ，４４ｃ，４４ｅ，４４ｇ，４４ｉは一般入賞口に相当し、特別入賞口４４ｆは特定入賞口に相当する。分かり易くするために、図７（および後述する図８）では特別入賞口４４ｆを太線で表す。
【００２４】
一般領域と特別領域の例について、図８を参照しながら説明する。図８（Ａ）には、誘導通路２２の出口７２から落下したパチンコ球が通行可能な領域を＼字状の斜線ハッチで示す。通常領域７４は通常入賞口４４ｃを有し、隔離部材４４ｂ，４４ｄに囲まれている。同様に通常領域８０は通常入賞口４４ｉを有し、隔離部材４４ｂ，４４ｈに囲まれている。特別領域７８は特別入賞口４４ｆを有し、隔離部材４４ｄ，４４ｈに囲まれている。通常領域７４，８０および特別領域７８のいずれにも容易に通行可能であって、これらの領域に共通する部位が共通領域７６である。クロスハッチで図示する共通領域７６は、第２位置に相当する。通常領域７４，８０および特別領域７８は、第１グループに属する。出口７２から共通領域７６内に落下したパチンコ球は、隔離部材４４ｂ，４４ｄ，４４ｈによって通行が阻害されるので、上述した通常入賞口４４ｃ，４４ｉまたは特別入賞口４４ｆに入賞する。よって、誘導通路２２を通行して出口７２から落下したパチンコ球が特別入賞口４４ｆに入賞する確率はほぼ三分の一になる。
【００２５】
図８（Ｂ）には、通行部位４０ａを通らない限りは通行が困難な領域を／字状の斜線ハッチで示す。各領域は隔離部材４４ｂ，４４ｄ，４４ｈによって囲まれている。すなわち隔離部材４４ｄに囲まれて通常入賞口４４ｅを有する通常領域８２と、隔離部材４４ｈに囲まれて通常入賞口４４ｇを有する通常領域８４と、隔離部材４４ｂに囲まれて通常入賞口４４ａを有する通常領域８６である。上述した第１グループとの関係では、通常領域８２，８４，８６は第２グループに属する。ただしパチンコ球が通行部位４０ａを通過すると、通常領域７４，８０や特別領域７８にも通行し得る。よって、誘導通路４８から扇状通路４２を経て通行するパチンコ球が特別入賞口４４ｆに入賞する確率はほぼ六分の一になる。
なお、図６（Ｂ）に示すように竹箒部２６が入賞口５６を塞いでいない状態では、上述した扇状通路４２を通行するパチンコ球が特別入賞口４４ｆに入賞する確率はほぼ零になる。
【００２６】
上述のように構成した役物装置１２において、パチンコ球が通行する経路例を図９，図１０を参照しながら説明する。図９には、可動部材１４の尻尾部１４ｂを小片６０の近傍に姿勢させた状態を示す。この状態で大入賞口１６から入ったパチンコ球Ｂは、例えば太線で図示する経路Ｌ２に沿って通行する。すなわち小片６０から落下すると、尻尾部１４ｂの転動板１４ｃを転がった後に、誘導通路２２の入口６６に入る。誘導通路２２を通行して出口７２から出たパチンコ球Ｂは、図８（Ａ）に示す共通領域７６に落下する。よって、パチンコ球Ｂはほぼ三分の一の確率で特別入賞口４４ｆに入賞する。
【００２７】
また図１０には、可動部材１４の尻尾部１４ｂを小片５８の近傍に姿勢させた状態を示す。この状態で大入賞口５４から入ったパチンコ球Ｂは、例えば太線で図示する経路Ｌ４に沿って通行する。すなわち小片５８から落下すると、尻尾部１４ｂの転動板１４ｃを転がった後に、誘導通路４８の入口６２に入る。誘導通路４８を通行して出口７０から出たパチンコ球Ｂは、扇状通路４２上を通行し、竹箒部２６によって通行部位４０ａを抜けて回転体４４に向かう。よって、パチンコ球Ｂはほぼ六分の一の確率で特別入賞口４４ｆに入賞する。
したがって、ほぼ周期的に変化する可動部材１４が尻尾部１４ｂを小片６０の近傍に姿勢させたとき（図９を参照）、パチンコ球Ｂは特別入賞口４４ｆに入賞する確率が高くなる。よって、遊技者は尻尾部１４ｂが小片６０の近傍に姿勢するタイミングを狙って遊技する楽しみが得られる。
【００２８】
上述した実施の形態によれば、以下に示す各効果を得ることができる。
（１）可動体に相当する回転体４４は、通常入賞口４４ａ，４４ｃ，４４ｅ，４４ｇ，４４ｉと特別入賞口４４ｆとこれらの相互間でパチンコ球Ｂの通行を困難に形成した隔離部材４４ｂ，４４ｄ，４４ｈとを備えた（図７，図８を参照）。第１誘導通路に相当する誘導通路４８は、通常入賞口および特定入賞口のいずれか一つに入賞し得る通行部位４０ａにパチンコ球Ｂを誘導した（図５，図６を参照）。第２誘導通路に相当する誘導通路２２は、通行部位４０ａに誘導する場合よりも特定入賞口に入賞し易くなる共通領域７６にパチンコ球Ｂを誘導した（図５，図７（Ａ）を参照）。誘導通路４８を誘導されたパチンコ球Ｂは、単に通行部位４０ａを通じて通常入賞口および特別入賞口のいずれか一つに入賞するに過ぎない。これに対して誘導通路２２を誘導されたパチンコ球Ｂは、共通領域７６を通じて特別入賞口４４ｆに入賞し易くなり、特別入賞口４４ｆへの入賞確率が高まる。よってパチンコ球Ｂが誘導通路４８および誘導通路２２の何れを通行するかで特別入賞口４４ｆに入賞する確率が異なる。したがって、遊技者は役物装置１２に入ったパチンコ球Ｂが通行する誘導通路を意識し、パチンコ球Ｂが誘導通路２２を通行する期待感を持って遊技するようになる。
【００２９】
（２）図８を参照すると、回転体４４には通常領域７４，８０，８２，８４，８６の数と、特別領域７８の数とを異ならせた。また、通常領域７４，８０および特別領域７８を第１グループに属させ、通常領域８２，８４，８６を第２グループに属させることにより、二つのグループに分けた。さらに二つのグループの相互間は、隔離部材４４ｂ，４４ｄ，４４ｈによってパチンコ球Ｂの通行を困難に形成した。第１グループに属する各領域には共通領域７６（第２位置）からしか通行できないが、通行部位４０ａ（第１位置）からは通常領域と特別領域の全てに通行できる。通常は誘導通路４８から通行部位４０ａに到達し、同じく誘導通
路２２から共通領域７６に到達する点を考慮すると、第１位置および第２位置をどこに設定するかによってパチンコ球Ｂが特別入賞口４４ｆに入賞する確率が異なる。したがって、遊技者は役物装置１２に入ったパチンコ球Ｂが通行する誘導通路を意識し、パチンコ球Ｂが誘導通路２２を通行する期待感を持って遊技するようになる。本例では、通常領域８２，８４，８６を第２グループに属させる構成としたが、各領域が隔離部材４４ｂ，４４ｄ，４４ｈによって囲まれている点を考慮すると、異なるグループに属すると考えることもできる。この場合には、第１グループと合わせて四つのグループが存在することになる。このように二以上のグループに区分した場合であっても、上述した効果が得られる。
【００３０】
（３）役物装置１２にはパチンコ球Ｂを誘導通路４８または誘導通路２２に振り分ける可動部材１４を備えた（図２，図３，図４を参照）。可動部材１４の姿勢（すなわち尻尾部１４ｂが小片５８，６０のいずれの近傍にあるか）によって、パチンコ球Ｂはいずれかの誘導通路に振り分けられる。遊技者はパチンコ球Ｂが誘導通路２２に振り分けられるタイミングを狙って遊技するようになり、有利な遊技状態の実現を望む遊技者の期待感を向上させることができる。
【００３１】
〔他の実施の形態〕
上述したパチンコ機（遊技機）であって、他の部分の構造，形状，大きさ，材質，配置および動作条件等については、上述した実施の形態に限定されるものでない。例えば、次の各形態を実施することもできる。
（１）上述した実施の形態では、パチンコ機に本発明を適用した。この形態に代えて、パチンコ機以外の他の遊技機（例えばアレンジボール機，雀球遊技機，テレビゲーム機等）であって一般領域と特定領域とを備えた役物装置１２を備えたものにも同様に本発明を適用することができる。当該他の遊技機であっても、パチンコ球Ｂが通行する誘導通路４８または誘導通路２２に応じて、特別入賞口４４ｆに入賞する確率を異ならせることができる。
【００３２】
（２）上述した実施の形態では、回転体４４には隔離部材４４ｂ，４４ｄ，４４ｈを備え、領域間でパチンコ球Ｂの通行を困難にした（図７，図８等を参照）。この形態に代えて、領域間でパチンコ球Ｂの通行が困難であれば、他の構成としてもよい。例えば図１１（Ａ），図１１（Ｂ），図１１（Ｃ）に示すように、回転体４４の中央部を凸にした丘陵状に形成するとともに、隣り合う領域で段差を設けた段差部４４ｊ，４４ｋ，４４ｍを表面上に沿って備える。当該段差部４４ｊ，４４ｋ，４４ｍの表面は凹レンズのように形成し、各入賞口がほぼ同一の標高になるように構成する。また、隔離部材４４ｂ，４４ｄ，４４ｈに相当する部位に溝を設ける構成とした場合でも同様である。これらの構成によれば、誘導通路４８を誘導されたパチンコ球Ｂは通行部位４０ａを通じて通常入賞口および特別入賞口のいずれか一つに入賞するが、誘導通路２２を誘導されたパチンコ球Ｂは共通領域７６を通じて特別入賞口４４ｆに入賞し易くなる。よってパチンコ球Ｂが誘導通路４８および誘導通路２２の何れを通行するかで特別入賞口４４ｆに入賞する確率が異なる。
【００３３】
（３）上述した実施の形態では、回転体４４には五つの通常領域７４，８０，８２，８４，８６と、一つの特別領域７８とを備えた（図７，図８等を参照）。この形態に代えて、四つの通常領域と二つの特別領域とを備えたり、通常領域と特別領域とをそれぞれ三つ備えたり、二つの通常領域と五つの特別領域とを備えたり、一つの通常領域と五つの特別領域とを備えるなどのように、通常領域の数と特別領域の数とを自在に設定してもよい。通常領域の数と特別領域の数とが変われば、パチンコ球Ｂが特別入賞口に入賞する確率も変わる。領域数の変更は、特に遊技中に行うと面白くなる。特にパチンコ球Ｂが特別入賞口に入賞する確率が高まるような変更は、遊技者の期待感を向上させることができる。
【００３４】
（４）上述した実施の形態では、第１位置を通行部位４０ａに設定し、第２位置を共通領域７６に設定した（図８等を参照）。この形態に代えて、第１位置を共通領域７６に設定し、第２位置を通行部位４０ａに設定してもよい。この設定を実現するに当たっては、例えば図１２（Ａ），図１２（Ｂ）に示すように、特別入賞口を隔離部材で囲まれた領域内に設ける。すなわち上述した実施の形態と異なるのは、特別領域７８に代わる通常領域９０には通常入賞口４４ｎを備え、通常領域８４に代わる特別領域８８には特別入賞口４４ｐを備える点である。この形態によれば、誘導通路４８から扇状通路４２を経て通行するパチンコ球が特別入賞口４４ｐに入賞する確率はほぼ六分の一になる。これに対して誘導通路２２を通行して出口７２から落下したパチンコ球が特別入賞口４４ｐに入賞する確率はほぼ零になる。そのため、遊技者はパチンコ球Ｂが誘導通路４８を通行する期待感を持って遊技するようになる。
【００３５】
（５）上述した実施の形態では、可動体として回転体４４を用い、振分部材として可動部材１４を用いた（図２等を参照）。この形態に代えて、一以上の通常入賞口と、一以上の特別入賞口４４ｆとを有する他の可動体を用いてもよい。当該他の可動体は、例えばスライド体や揺動体などが該当する。同様にしてパチンコ球Ｂを振り分け可能な他の振分部材を用いてもよい。当該他の振分部材は、例えば回転体やスライド体などが該当する。これらの部材を用いた場合であっても、パチンコ球Ｂを入賞口に入賞させ、あるいはパチンコ球Ｂを振り分けることができるので、上述した実施の形態と同様の効果を得ることができる。
【００３６】
（６）上述した実施の形態では、ほぼ周期的に変化する可動部材１４の姿勢によってパチンコ球Ｂをいずれかの誘導通路に振り分ける構成とした（図２，図９，図１０等を参照）。この形態に代えて、所要の条件を満たすと可動部材１４を特定の姿勢にさせる構成としてもよい。当該所要の条件は、例えばパチンコ球Ｂが球通過口を通過したことを契機として抽選を行うとともに、液晶表示器４６では図柄変動を始め、所定の図柄パターン（例えば［３３３］や［７７７］等）が表示されることなどが該当する。球通過口はパチンコ機の種類，日時，遊技状態等に応じて適切に設定可能である。例えば、特別入賞口４４ｆや通常入賞口４４ａ，４４ｃ，４４ｅ，４４ｇ，４４ｉ、あるいは孔５８ａ，６０ａなどのうちでいずれかが該当する（図２，図４を参照）。また所定の姿勢は、図９に示すような尻尾部１４ｂが小片５８の近傍に位置する姿勢と、図１０に示すような尻尾部１４ｂが小片６０の近傍に位置する姿勢とのうちでいずれか一方が該当する。こうすれば抽選によっていずれかの誘導通路にパチンコ球Ｂが誘導されるのかが決定されるため、遊技者は図柄変動の動向を期待しながら遊技できる。
【符号の説明】
【００３７】
１０  遊技盤
１２  役物装置
１４  可動部材（振分部材）
１４ｃ  転動板
１６，５４  大入賞口
１８，５２  可動翼片
２０，５０  入賞センサ
２２  誘導通路（第２誘導通路）
２４  可動部材
２６  竹箒部
４４  回転体（可動体）
４４ａ，４４ｃ，４４ｅ，４４ｇ，４４ｉ  通常入賞口（一般入賞口）
４４ｆ  特別入賞口（特定入賞口）
４４ｂ，４４ｄ，４４ｈ  隔離部材（特定部材）
４８  誘導通路（第１誘導通路）
５６  入賞口（一般入賞口）
７４，８０，８２，８４，８６  通常領域（一般領域）
７６  共通領域
７８  特別領域（特定領域）
【図１】
2009285507.tif 000003
【図２】
2009285507.tif 000004
【図３】
2009285507.tif 000005
【図４】
2009285507.tif 000006
【図５】
2009285507.tif 000007
【図６】
2009285507.tif 000008
【図７】
2009285507.tif 000009
【図８】
2009285507.tif 000010
【図９】
2009285507.tif 000011
【図１０】
2009285507.tif 000012
【図１１】
2009285507.tif 000013
【図１２】
2009285507.tif 000014
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
可動片を有し、該可動片が動作したときには遊技球の進入が可能とされる入賞装置と、
前記入賞装置に進入した遊技球を受け入れ可能な一般入賞口及び特定入賞口と、
を備え、前記一般入賞口及び前記特定入賞口のうちの前記特定入賞口に遊技球が受け入れられたことを契機として遊技者に有利な遊技状態を実現する遊技機であって、
前記入賞装置には、
前記進入した遊技球の転動通路としての第１誘導通路及び第２誘導通路と、
前記進入した遊技球を、前記第１誘導通路及び第２誘導通路のいずれかの誘導通路に振り分けるように動作する振分可動部材と、
前記第１誘導通路及び前記第２誘導通路からそれぞれ遊技球の供給を受けるように形成された可動抽選体と、
が設けられてなり、
前記可動抽選体は、
前記第１誘導通路及び第２誘導通路のうちの前記第１誘導通路から供給される遊技球に対して適用されて前記一般入賞口及び前記特定入賞口のうちの前記特定入賞口への受け入れ確率が第１確率とされる第１の抽選構造、及び
前記第１誘導通路及び第２誘導通路のうちの前記第２誘導通路から供給される遊技球に対して適用されて前記一般入賞口及び前記特定入賞口のうちの前記特定入賞口への受け入れ確率が前記第１確率よりも高い第２確率とされる第２の抽選構造
をもって形成されてなることを特徴とする遊技機。
【請求項２】
前記可動抽選体は、前記第１の抽選構造、及び前記第２の抽選構造を周期的に回転させる回転体として設けられてなる
請求項１に記載の遊技機。
【請求項３】
前記入賞装置には、
前記進入した遊技球を前記第１誘導通路及び第２誘導通路のいずれかに振り分ける振分部材が設けられてなる
請求項１または２に記載の遊技機。
【手続補正２】
【補正対象書類名】明細書
【補正対象項目名】０００５
【補正方法】変更
【補正の内容】
【０００５】
［課題を解決するための手段１］
課題を解決するための手段１は、請求項１に記載した通りである。
ここで、請求項１に記載した用語のうち、「可動抽選体」は、例えば回転体，スライド体，揺動体などが該当する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
［課題を解決するための手段２］
課題を解決するための手段２は、請求項２に記載した通りである。